(57)【要約】      （修正有）【課題】空気の押しやる方向を変更することを可能にする風力発生装置において、設定された可動羽根の捩りの角度を複雑な構造を新たに具備させることなく、自動的に固定することができる風力発生装置を提供する。【解決手段】軸方向に分離可能な一対のハブ部材４、６と、ハブ部材の内部に収容されるとともにハブ部材の外周面から一部突出した複数個の支持軸１３を介して放射状に配置された複数個の回転羽根を所定角度同時に、支持軸の回動方向に回動させることが可能な同期ギア伝達機構Ａと、同期ギア伝達機構に力を伝達する回転軸３０と、を備え、回転軸からの力が同期ギア伝達機構に伝達され、支持軸を介して回転羽根が一方の向きあるいは他方の向きに選択的に変更される風力発生装置であって、回転羽根の向きが選択的に変更された後に、回転羽根の捩じれの角度を自動的に固定する姿勢固定手段が具備されていることを特徴とする。【選択図】図２Ａ
2017106349.tif 000002
【特許請求の範囲】
【請求項１】
軸方向に分離可能な一対のハブ部材と、
前記一対のハブ部材の内部に収容されるとともに、前記一対のハブ部材の外周面から一部突出した複数個の支持軸を介して放射状に配置された複数個の回転羽根を所定角度同時に、前記支持軸の回動方向に回動させることが可能な同期ギア伝達機構と、
前記同期ギア伝達機構に力を伝達する回転軸と、を備え、
前記回転軸からの力が前記同期ギア伝達機構に伝達され、これにより、前記支持軸を介して前記複数個の回転羽根が同時に所定角度回動することにより、前記支持軸に支持されたそれぞれの回転羽根が、一方の向きあるいは他方の向きに選択的に変更される風力発生装置であって、
前記複数個の回転羽根が一方の向きあるいは他方の向きに選択的に変更された後に、前記複数個の回転羽根の捩じれの角度を自動的に固定する姿勢固定手段が具備されていることを特徴とする風力発生装置。
【発明の詳細な説明】
【技術分野】
【０００１】
本発明は、扇風機あるいはサーキュレーターなどの風力発生装置に関し、詳しくは、回転軸の回転を正逆いずれかの方向に選択的に回転させるともに、回転羽根の捩りの向きを前向きにするか後向きにするかを変更することにより、風の送り方向を前から後、あるいは後から前に変更可能にした風力発生装置に関する。
【背景技術】
【０００２】
例えば、扇風機あるいはサーキュレーターなどの風力発生装置において、空気の押しやる方向を前から後あるいは後から前に変更したいという要望がある。
【０００３】
このような要望に対し、回転軸の回転方向を変更すれば、風の送り方向を変更することは可能であるが、その場合であっても、回転羽根の捩じれの角度を調整しないと、前向きの風と後向きの風との間で、風力に差がでてしまうことになる。
【０００４】
したがって、空気の押しやる方向を前か後かに変更する場合には、回転軸の回転方向の変更とともに回転羽根の捩じれの角度も変更し、さらには変更した回転羽根の姿勢が、その位置から動かないように、回転羽根を適正な位置に固定しなければならない。
【０００５】
ここで、例えば、水の送り方向を前か後かに変更することが可能なヨットなどの船舶では、複数個の回転羽根の捩りの角度を固定するため、図５に示したように、回転羽根と一体に回転するナット1の側面に、シャフト3を挿通し、このシャフト3によって回転羽根の捩じれの角度を固定するようにしたものがある。
【０００６】
しかしながら、このようにナット1の側面にシャフト3を挿通して回転羽根の捩じれの角度を固定する場合には、シャフト3の着脱作業がその都度必要になるため、この機構を扇風機あるいはサーキュレーターなどの風力発生装置に適用する場合には、シャフト3を自動操作するための複雑な構造を新たに具備させなければならず、コスト高になるという問題があった。
【発明の概要】
【発明が解決しようとする課題】
【０００７】
本発明はこのような実情に鑑み、空気の押しやる方向を変更することを可能にする風力発生装置において、設定された可動羽根の捩りの角度を複雑な構造を新たに具備させることなく、自動的に固定することができる風力発生装置を提供することを目的としている。
【課題を解決するための手段】
【０００８】
上記目的を達成するための本発明に係る風力発生装置は、
軸方向に分離可能な一対のハブ部材と、
前記一対のハブ部材の内部に収容されるとともに、前記一対のハブ部材の外周面から一部突出した複数個の支持軸を介して放射状に配置された複数個の回転羽根を所定角度同時に、前記支持軸の回動方向に回動させることが可能な同期ギア伝達機構と、
前記同期ギア伝達機構に力を伝達する回転軸と、を備え、
前記回転軸からの力が前記同期ギア伝達機構に伝達され、これにより、前記支持軸を介して前記複数個の回転羽根が同時に所定角度回動することにより、前記支持軸に支持されたそれぞれの回転羽根が、一方の向きあるいは他方の向きに選択的に変更される風力発生装置であって、
前記複数個の回転羽根が一方の向きあるいは他方の向きに選択的に変更された後に、前記複数個の回転羽根の捩じれの角度を自動的に固定する姿勢固定手段が具備されていることを特徴としている。
【０００９】
このような構成であれば、回転羽根の捩じれの角度を変更した後に、姿勢固定手段により捩じれの角度を自動的に固定するので、他の複雑な固定手段が不要でありコストダウンに寄与することができる。
【発明の効果】
【００１０】
本発明に係る風力発生装置によれば、回転羽根の捩りの角度を自動的に固定する姿勢固定手段が具備されているので、空気の押しやる方向を変更した場合であっても風力に影響がなく、所定の風力を生じさせるとことができる。
【図面の簡単な説明】
【００１１】
【図１】図１は本発明の一実施例に係る風力発生装置の斜視図である。
【図２Ａ】図２Ａは図１に示した風力発生装置を表側から見た場合の分解斜視図である。
【図２Ｂ】図２Ｂは、図１に示した風力発生装置を裏側から見た場合の分解斜視図である。
【図３】図３は第１のハブ部材と第２のハブ部材とを組み合わせるときの態様を示す斜視図である。
【図４】図４は円盤状の羽根支持部材に、３つの支持軸を放射状に配置した状態を裏面側から見た背面図である。
【図５】図５は、従来の姿勢固定構造に採用されたピンとナットとの係合状態を示す斜視図である。
【発明を実施するための形態】
【００１２】
以下、図面を参照しながら本発明の好ましい実施の形態（実施例）について説明する。
図１は、本発明の一実施例に係る風力発生装置を示した斜視図で、図２Ａ、図２Ｂは、図１に示した風力発生装置の構成要素を相反する方向から見た分解斜視図である。図３は、図２Ａ、図２Ｂに示した一対のハブ部材の組立斜視図である。
なお、以下の説明では、図２Ａの視野で手前側に見える面を各部材の表側とし、図２Ｂの視野で手前側に見える面を各部材の裏側とする。
【００１３】
図１〜図３に示したように、本実施例に係る風力発生装置２は、軸方向に分離可能な円筒状の第１のハブ部材４と、第１のハブ部材４に嵌り合う第２のハブ部材６とを有しており、これらの内部に、支持軸１３を介して放射状に配置された複数個の回転羽根２２を同時に回動させることが可能な同期ギア伝達機構Aが構成されている。
【００１４】
同期ギア伝達機構Aは、図２Ａに示したように、円盤状のウォームギア１４と、これに対向して配置される３つの傘歯車１３ａなどから構成されるものであり、３つの傘歯車１３ａは、第１のハブ部材４に形成された３つの凹所内にそれぞれ収容されている。なお、傘歯車１３ａは、支持軸１３の基部側に一体に形成されている。
【００１５】
さらに、本実施例では、図４に示したように、支持軸１３の周面にリブ１３ｃが突設されている。このリブ１３ｃが、回転動作中に後述する第２のハブ部材６の溝６ｄに当接することで、支持軸１３がそれ以上回転しないようになっている。
【００１６】
第１のハブ部材４と第２のハブ部材６とは、図３に示したように互いに突き合わされたときに円筒体を構成する。
【００１７】
すなわち、第１のハブ部材４には、外周側壁の突き合わせ端面に３つのボス４ｂが立設されている。これらボス４ｂには孔４ｃが形成されている。また、第１のハブ部材４の外周側壁には、半円状の切欠部４ｄが所定間隔置きに形成されている。
【００１８】
一方、第２のハブ部材６には、外周側壁の内方に凹部６ａが形成されるとともに、外周側壁の突き合わせ端面に３つのボス孔６ｂが所定間隔置きに形成されている。これらボス孔６ｂは、第１のハブ部材４のボス４ｂに対応している。第２のハブ部材６の外周側壁には、半円状の切欠部６ｃがボス孔６ｂを挟む態様で形成されている。これら半円状の切欠部６ｃは、第１のハブ部材４の切欠部４ｄと合致する位置に形成されている。そして、第１のハブ部材４の切欠部４ｄと第２のハブ部材６の切欠部６ｃとの間に、上記した支持軸１３の先端側が突出した状態で回転自在に保持される。
【００１９】
そして、第１のハブ部材４と第２のハブ部材６との組み付けに際しては、第１のハブ部材４のボス４ｂを、第２のハブ部材６のボス孔６ｂ内に挿入し、互いを突き合わせた後、第２のハブ部材６の外方からネジ部材１８をボス孔６ｂ内に挿入し、そのネジ部材１８の先端をボス４ｂの孔４ｃ内に挿通すれば、図１のように第１のハブ部材４と第２のハブ部材６とを互いに組み合わせて一体化することができる。
【００２０】
このような構成の風力発生装置２では、空気の送り方向を後から前にする場合と、前から後にする場合とを任意に変更できるように構成されている。
【００２１】
そのため本実施例では、回転羽根２２の捩じれの向きを回転羽根２２の回転方向に対し正、負いずれかにすることができるように、図１の回転羽根２２の姿勢を二通りに変更できるように構成されている。
【００２２】
また、このような風力発生装置２では、回転羽根２２の姿勢を正、負いずれかに設定して、空気の送り方向を定めた場合に、その風力を常に同一にする必要がある。そのため、本実施例では、回転羽根２２の捩じれの角度を自動的に固定する姿勢固定手段が具備されている。この姿勢固定手段は、機械的な構造であっても電気的な構造であっても良い。
【００２３】
さらに、風力発生装置２のコントローラには、回転軸３０をＯＮ，ＯＦＦする電源スイッチの他に、空気の送り方向を後から前にするか、あるいは前から後にするかの切り替えスイッチが具備されている。すなわち、本実施例では、風力発生装置２のコントローラを介して操作者が風の流れの向きを選択できるように構成されている。また、本実施例では、空気（風）の送り方向が決定されることにより回転軸３０の回転が同時に行われる。
【００２４】
以下、このように構成された風力発生装置２の作用について説明する。
今、風力発生装置２において、通常の扇風機のように空気の流れを後から前にして、前にいる人に風を送る場合について説明する。
最初に、操作者は、風の流れる方向をコントローラから確認して正転逆転切り替えスイッチにより回転軸３０の駆動をＯＮにし、回転軸３０を正回転（図２Ａにおける矢印Ｘ方向）させる。
【００２５】
回転軸３０の駆動を正回転方向にＯＮにすると、支持軸１３が同期伝達機構Ａの力を受けて、これらが図２Ａにおいて矢印Ｘ方向に回転する。支持軸１３のＸ方向への回転により、風力が前向き（第２のハブ部材６から第１のハブ部材４に向かう方向）に発生する。このような風力が発生すると、その力が回転羽根２２に作用し、かつ所定の風量が後から前に向かって供給される。また、正回転時には、支持軸１３のリブ１３ｃが第１のハブ部材４の凹所の縁に当接することにより、回転羽根２２の捩じれの角度は固定されて動くことはない。
【００２６】
一方、風の流れる方向を前から後に（第１のハブ部材４から第２のハブ部材６に向かう方向）する場合について説明する。回転軸３０の回転が停止した状態から、操作者は、風の流れる方向をコントローラの正転逆転切り替えスイッチから選択する。すなわち、空気が前から後に流れるように選択する。
このように空気の流れを前から後に選択した場合には、回転羽根２２は、捩じれの姿勢が安定しておらず、移動可能状態にある。
【００２７】
しかしながら、支持軸１３がＹ方向に回転することにより、第１のハブ部材４から第２のハブ部材６に向かう方向の風力が発生する。このような風力が発生すると、その力が回転羽根２２に作用する。すると、本実施例では、そのときの風力が回転羽根２２の捩じれの角度を自動的に固定する姿勢固定手段として支持軸１３のリブ１３ｃに作用する。そして、回転羽根２２に作用する風力を受けて支持軸１３が回転し、リブ１３ｃが第２のハブ部材６の溝６ｄに衝突し、それ以後、回転羽根２２が自転しなくなる。これにより、回転羽根２２の捩じれの角度が所定位置に固定され、以後、回転羽根２２は正確な捩じれの姿勢で回転する。
【００２８】
よって、本実施例によれば、後から前に空気が送られる場合であっても、あるいは前から後に空気が送られる場合であっても、回転羽根２２の位置を所定の位置に自動的に固定することができ、これにより、いずれの場合も適正な風量を確保することが可能になる。
【００２９】
このように本発明によれば、空気の押しやる方向を変更することを可能にする風力発生装置における逆回転時に、可動羽根の捩りの角度を複雑な構造を新たに具備させることなく、自動的に固定することが可能となった。
【００３０】
以上、本発明の一実施例について説明したが、本発明は、上記実施例に何ら限定されない。例えば、回転羽根２２の捩じれの角度を自動的に固定する姿勢固定手段としては、リブ１３ｃのような機械的な構造に限定されず、電気的な手段で固定するようにしても良い。
また、回転羽根２２の数は３つに限定されず、４つ以上であっても良い。
【００３１】
また、上記実施例では、風力発生装置２を扇風機のような使い勝手で説明したが、この風力発生装置２は、空気を上から下、あるいは下から上に向けて空気を循環させるサーキュレータなどにも適用可能である。
【符号の説明】
【００３２】
２      風力発生装置
４      第１のハブ部材
６      第２のハブ部材
１３    支持軸
１３ｂ  傘歯車
１４    円盤状のウォームギア
２２    回転羽根
３０    回転軸
【図１】
2017106349.tif 000003
【図２Ａ】
2017106349.tif 000004
【図２Ｂ】
2017106349.tif 000005
【図３】
2017106349.tif 000006
【図４】
2017106349.tif 000007
【図５】
2017106349.tif 000008